(57)【要約】      （修正有）【課題】印鑑イメージデータベースサーバに登録された印鑑イメージの登録解像度や印鑑照会端末の表示画面サイズや表示解像度が異なる場合でも、印鑑照会端末に表示される印鑑イメージのサイズが登録イメージと比較して等倍表示となる印鑑照会システムを提供する。【解決手段】登録されている印鑑イメージの解像度と、印鑑照会端末の端末識別と、表示画面の大きさと、表示画面解像度の情報を印鑑イメージデータベースサーバや印鑑Ｗｅｂ照会サーバに登録保持し、印鑑照会端末からの照会要求時に上記情報から印鑑イメージデータベースサーバや印鑑Ｗｅｂ照会サーバで印鑑イメージを等倍で表示させるように編集する。編集に当たっては、印鑑データベースサーバの登録印鑑イメージの解像度と印鑑照会端末の端末識別と表示解像度をパラメータとする。【選択図】図７
2006107297.tif 000002
【特許請求の範囲】
【請求項１】
端末から当該端末の端末識別と認証用の画像を照会する照会情報とを受信する受信部と、
前記受信部で受信した照会情報に基づいて取得した認証用の画像の解像度と、前記受信部で受信した端末識別に基づいて取得した表示解像度とに基づいて、受信した照会情報に対応する認証用の画像の表示サイズを変更する編集係数を求める制御部とを有する画像照会システム。
【請求項２】
表示解像度の異なる端末と接続する画像照会システムであって、
端末に応じて画像の表示サイズを変更する編集係数を求めることを特徴とする画像照会システム。
【請求項３】
それぞれ異なる解像度の複数の画像を登録する画像照会システムであって、
端末から登録している画像の照会を受けたとき、当該画像の解像度に応じて表示サイズを変更して前記端末に返信することを特徴とする画像照会システム。
【請求項４】
表示解像度の異なる端末と接続する画像照会システムであって、
端末から登録している画像の照会を受けたとき、当該画像の解像度及び当該端末に応じて画像の表示サイズを変更する編集係数を求めることを特徴とする画像照会システム。
【発明の詳細な説明】
【技術分野】
【０００１】
本発明は認証のために画像を照会するシステム、特に金融機関における顧客口座の届出印の印鑑照会、印鑑照合、印鑑確認等を行う印鑑照会システムに関する。
【背景技術】
【０００２】
近年、金融機関における顧客口座の届出印は、通帳や証書に捺印されている副印鑑から印鑑を偽造することで不正支払いが発生する問題が多発したこと、また、届出店以外でも口座引出や解約を可能とするため、届出印をイメージ化して印鑑イメージデータベースサーバに登録管理し、通帳や証書から副印鑑を廃止する金融機関が多くなっている。顧客は通帳や証書から口座引出や解約により金融機関から現金を引出す場合、金融機関によって決められた伝票に通帳や証書を特定する情報を記載し、捺印をして金融機関に提示する。金融機関は顧客から提示された情報を基に、印鑑イメージデータベースサーバから顧客の印鑑を特定する印鑑識別情報（例えば口座番号）をキーとして印鑑イメージを照会し、印鑑照合・確認を実施することにより顧客の確認をし、現金を支払う。例えば特許文献１等に例示がある。
【０００３】
【特許文献１】特開平６−１７６０５１号公報
【発明の開示】
【発明が解決しようとする課題】
【０００４】
印鑑イメージ等の認証に用いる画像は、目視による認証を容易にするために実物（印鑑によってまさに押印された印影）と等倍に表示したいというニーズがある。このニーズに対し、印鑑イメージを照会表示する印鑑照会端末において印鑑イメージを等倍表示するためには登録印鑑イメージの解像度と同じ表示解像度の専用装置を準備することも考えられる。
【０００５】
しかし、近年は、印鑑照合用の専用装置を設置せず、勘定取引を実行する端末の画面（例えば１５インチＬＣＤ等）と兼用する流れが加速している。この場合、印鑑イメージデータベースサーバに登録する印鑑イメージデータの解像度と印鑑表示する端末側の解像度が異なるため、印鑑照会端末側の表示画面の大きさや解像度により、表示される大きさが異なるという課題がある。
【０００６】
また、スキャナの高性能化やデータ記憶容量の増大にともない、印鑑イメージデータベースサーバに登録される印鑑イメージの解像度を増やす等の変更があった場合には、それまで使用していた専用端末で等倍表示することができなくなってしまうという課題もある。
【課題を解決するための手段】
【０００７】
上記のような課題を解決するために、例えば印鑑イメージデータベースサーバや印鑑Ｗｅｂ照会サーバで印鑑イメージデータベースサーバに登録されている印鑑イメージの解像度と印鑑イメージデータベースサーバや印鑑Ｗｅｂ照会サーバに接続して印鑑イメージを表示する印鑑照会端末の端末識別と、表示画面の大きさと、表示画面解像度の情報を印鑑イメージデータベースサーバや印鑑Ｗｅｂ照会サーバに登録保持し、印鑑照会端末からの照会要求時に上記情報から印鑑イメージデータベースサーバや印鑑Ｗｅｂ照会サーバで印鑑イメージを等倍で表示させるように編集するという手段により、登録された印鑑イメージと比較して等倍の表示を印鑑照会端末で可能とする。編集に当っては、印鑑データベースサーバの登録印鑑イメージの解像度と印鑑照会端末の端末識別と表示解像度をパラメータとする。
【発明の効果】
【０００８】
印鑑イメージデータベースサーバに登録された印鑑イメージの登録解像度や印鑑照会端末の表示画面サイズや表示解像度が異なる場合でも、印鑑照会端末に表示される印鑑イメージのサイズが登録印鑑イメージと比較して等倍表示となる。
【発明を実施するための最良の形態】
【０００９】
以下、本発明の実施例として、印鑑を照会するシステムを、図面により詳細に説明する。なお、システムとは、サーバ単体、サーバ群、サーバに端末を加えたもの等を指す。
【００１０】
図１は基本的な印鑑照会システムのシステム構成図の例である。図２は図１の印鑑照会システムに印鑑Ｗｅｂ照会サーバを接続し、印鑑照会端末にＷｅｂ表示機能があれば印鑑照会を可能とするシステム構成図の例である。図６は図１の基本的な印鑑照会システムでの印鑑イメージの表示例である。なお、各サーバや端末は、ＣＰＵ（制御部）、メモリ・ハードディスク（記憶部）、ディスプレイ（表示部）、キーボード・マウス（入力部）、通信インタフェース（送信、受信部）等のハードウェアを実装し、記憶部のプログラムを制御部で実行する。
【００１１】
図１のシステムは、金融機関等で顧客口座の届出印として用いられる印鑑の印鑑イメージが登録された印鑑イメージデータベースサーバと、印鑑照会を可能とし印鑑表示機能をもつ印鑑照会端末からなる。印鑑照会端末は、印鑑照会を必要とする顧客の印鑑を特定する印鑑照会情報を入力する印鑑照会情報入力部とその入力された情報を印鑑イメージデータベースサーバに送信する印鑑照会情報送信部と印鑑イメージデータベースサーバから送信された印鑑イメージデータを受信する印鑑イメージデータ受信部と、印鑑イメージデータ受信部で取得した印鑑イメージを表示する表示部と、印鑑照会端末で様々な情報を制御する情報制御部を備え、また、顧客確認用に届出印として用いられている印鑑の印鑑イメージが登録されている印鑑イメージデータベースサーバは印鑑イメージがデータベース化されている印鑑イメージデータベース部と印鑑照会端末から印鑑イメージ照会情報を受信する印鑑照会情報受信部と印鑑照会情報から特定される印鑑イメージデータを照会するサービスを実行する印鑑照会サービス実行部と特定された印鑑イメージデータを印鑑照会端末へ送信する印鑑イメージデータ送信部から構成される。
【００１２】
図２のシステムは、印鑑Ｗｅｂ照会サーバを中継するシステム構成であり、印鑑照会端末は印鑑Ｗｅｂ照会サーバ経由で印鑑データベースサーバに印鑑照会依頼することにより、印鑑照会端末には印鑑照会ソフトとしてＷｅｂ機能があれば印鑑照会を実現できるメリットがある。印鑑Ｗｅｂ照会サーバは印鑑照会端末と印鑑イメージデータベースサーバの中継機能として印鑑照会情報送受信部と印鑑イメージデータ送受信部と、印鑑照会端末がＷｅｂ表示できるためのＷｅｂデータ編集部で構成される。
【００１３】
この図１及び図２のシステム構成で印鑑照会を実施する具体的な方法は、例えば印鑑照会端末から照会するために印鑑照会情報として店番・科目・口座番号等を入力し、印鑑データベースサーバに照会依頼をする。印鑑データベースサーバは印鑑照会端末からの特定情報である店番・科目・口座番号等にて印鑑イメージを特定し、印鑑照会端末へ印鑑イメージデータを返送する。印鑑Ｗｅｂ照会サーバ経由での印鑑照会の場合、印鑑Ｗｅｂ照会サーバではＷｅｂ照会可能な形式に編集され、印鑑照会端末に印鑑イメージデータが送信される。
【００１４】
これら図１と図２のシステムにおいて、印鑑イメージデータベースサーバに登録されている印鑑イメージの解像度は非常に高精細であり、比較すると印鑑照会端末の表示解像度が粗い場合も多く、この場合、印鑑イメージが実物よりも大きく表示（拡大表示）されてしまう。登録されている印鑑イメージと同じ表示解像度の印鑑照会端末を使用すれば、登録された印鑑イメージと同サイズで表示可能であるが、高精細の印鑑照会端末は非常に高価格であり、専用端末となってしまう。さらに印鑑照会端末は多様化しているため、表示解像度の異なる印鑑照会端末（例えば勘定取引端末と兼用のデスクトップ型１５インチディスプレイと渉外用のＰＤＡや携帯電話のディスプレイ）を使用すると、使用端末毎に印鑑イメージの大きさが変わってしまう。しかし、これらの表示される印鑑イメージを実際に登録している印鑑と等倍表示してほしいと要望、課題があった。
【００１５】
印鑑照会端末の表示サイズが異なってしまう理由は印鑑イメージデータベースサーバに登録されている印鑑イメージのイメージ解像度と印鑑照会端末の表示解像度が相違するためである。この点を図６によって説明する。まず、印鑑イメージデータベースサーバに登録されている登録印鑑イメージが横サイズ：Ｘ、縦サイズ：Ｙ、２４０ｄｐｉで登録されているとする。印鑑照会端末の表示画面サイズが横サイズ：１６インチ、縦サイズ：１２インチ、画面解像度が横サイズ：１，６００ピクセル、縦サイズ：１，２００ピクセルとすると、表示解像度は横サイズ：１００ｄｐｉ、縦サイズ：１００ｄｐｉとなるため、この印鑑照会端末で表示される印鑑イメージの大きさは横サイズ：２．４×Ｘ、縦サイズ：２．４×Ｙとなる。なお、印鑑照会専用端末は登録印鑑イメージと表示解像度が共に２４０ｄｐｉのため、等倍表示される。
【００１６】
すなわち、印鑑照会システムの印鑑照会端末での表示サイズは、（１）印鑑登録イメージサーバの登録印鑑イメージの解像度、（２）各印鑑照会端末を特定するための端末識別、（３）印鑑照会端末の表示画面サイズと画面解像度から計算される表示解像度の３つのパラメータで決定することができる。
【００１７】
これらのパラメータを用いて、等倍表示の編集処理を実行する例を図４、図７、図８を用いて説明する。図４は図２の印鑑照会システムにおいて、印鑑データベースサーバに登録された印鑑イメージの等倍表示を印鑑照会端末側で表示するための編集処理を印鑑Ｗｅｂ照会サーバで実施するため、特に印鑑イメージを等倍表示する編集処理を実施する等倍表示編集部を印鑑Ｗｅｂ照会サーバに実装した場合の機能詳細を含めたシステム構成図の例である。図７は、印鑑Ｗｅｂ照会サーバで等倍表示の編集を実行し、印鑑照会端末で表示させる例を示す。図８は、等倍表示の編集をするために印鑑Ｗｅｂ照会サーバが記憶しているテーブルの例であり、各種パラメータに対する計算式を格納している。
【００１８】
印鑑イメージデータベースサーバは、印鑑照会情報と対応して登録印鑑イメージを記憶している。登録印鑑イメージの解像度は例えば２４０ｄｐｉ又は４８０ｄｐｉで登録されているものとする。
【００１９】
印鑑Ｗｅｂ照会サーバは、印鑑イメージデータベースサーバに記憶されている登録印鑑イメージの解像度を記憶している。また、各印鑑照会端末を特定するための端末識別（番号、アドレス等）に対応して、印鑑照会端末の表示画面サイズと画面解像度によって算出された印鑑照会端末の縦横の表示解像度を記憶している。
【００２０】
ステップ１：印鑑イメージデータベースサーバ又は印鑑Ｗｅｂ照会サーバは、印鑑照会端末から印鑑照会依頼と共に印鑑照会情報と端末識別を受信する。印鑑照会Ｗｅｂサーバで受信した場合には印鑑照会依頼と印鑑照会情報とを印鑑イメージデータベースサーバへ送る。
【００２１】
ステップ２：印鑑イメージデータベースサーバは、受信した印鑑照会情報を用いて、印鑑登録イメージデータベースサーバから登録印鑑イメージとそのイメージＩＤを取得し、印鑑照会Ｗｅｂサーバへ送る。なお、イメージＩＤは印鑑照会情報と共通でも良いが、印鑑照会情報（例えば口座番号）に対して、複数の登録印鑑イメージ（替印や家族印など）が記憶されている場合もありそれぞれの解像度が異なることもあるため登録印鑑イメージ毎のイメージＩＤが好ましい。また、印鑑イメージデータベースで端末識別を受信していた場合には、これを印鑑Ｗｅｂ照会サーバに転送する。
【００２２】
ステップ３：印鑑Ｗｅｂ照会サーバは、登録印鑑イメージとイメージＩＤを受けると、イメージＩＤに対応する解像度を取得する。なお、解像度を印鑑イメージデータベースサーバに記憶しておいて、登録印鑑イメージデータと共に取得しても良いが、印鑑Ｗｅｂ照会サーバに置くと印鑑イメージデータベースサーバを改造する必要がなくなる利点がある。また、登録印鑑イメージ（イメージＩＤ）毎に解像度を記憶しておくのではなく、例えば、その登録印鑑イメージを登録するときに使用した登録装置やイメージ読取装置、登録した日付によって解像度を特定できるのであればこれらを利用して解像度を求めても良い。また、登録印鑑イメージ自体から解像度を取得（算出）できれば、別途記憶しておく必要はない。
【００２３】
ステップ４：印鑑Ｗｅｂ照会サーバは、受信した端末識別によって、印鑑照会端末の表示解像度を取得する。なお、表示画面サイズと画面解像度を記憶しておいて算出してもよい。また、印鑑照会端末から表示解像度を取得するようにしても良い。また、印鑑照会端末個々に表示解像度を記憶しているのではなく、印鑑照会端末やそのディスプレイに種別によって表示解像度を取得しても良い。
【００２４】
ステップ５：取得したパラメータを用いて等倍処理を実行する。例えば図８のテーブルによって、端末識別と登録印鑑イメージの解像度とによって項番を特定し、表示解像度を用いて縦横個別に編集係数を求める。編集係数は、表示解像度を登録印鑑イメージの解像度によって除算（割り算）して得られ、予め算出しておいても良い。図８のテーブルを用いず、判断ステップによって等倍処理を実行しても良い。求めた編集係数を縦横個別に登録印鑑イメージの画像サイズに乗算する。画像サイズ変更処理は一般的な画像サイズ変換処理技術であるニアレストネイバー法、バイリニア法、バイキュービック法等を利用できる。
【００２５】
ステップ６：印鑑Ｗｅｂ照会サーバは、受信した端末識別に基づいて等倍処理された登録印鑑イメージを印鑑照会端末に送信する。なお、編集係数を印鑑照会端末に送信して画像サイズ変更を印鑑照会端末に実行させてもよい。この場合、印鑑照会端末で等倍と原寸（登録印鑑イメージと同じサイズ）での表示を切り換えることも可能となる。
【００２６】
上述した処理を実行する部位は、他の実装形態でも良い。例えば図３は、図１の基本的な印鑑照会システムにおいて、印鑑データベースサーバに登録された印鑑イメージの等倍表示を印鑑照会端末側で表示するための編集処理を印鑑データベースサーバで実施する場合の機能詳細を含めたシステム構成図の例である。図５は図１、図２の印鑑照会システムにおいて、印鑑データベースサーバに登録された印鑑イメージの等倍表示を印鑑照会端末側で表示するための編集処理を印鑑照会端末側で実施する場合の機能詳細を含めたシステム構成図の例である。これ以外にも、等倍処理を事項する独立のサーバを設ける等、適宜に変更できる。印鑑イメージデータベースサーバに等倍表示編集部を設けると処理主体を少なくできるが、既に導入されていてカスタマイズが困難であれば、印鑑Ｗｅｂ照会サーバや印鑑照会既存のシステムに実装するのが有利である。印鑑照会端末に実装すると印鑑Ｗｅｂサーバ等を利用する必要がなくなり良いが各端末の種類に合わせたソフトを導入する手間があり対応できない端末も出てくる。独立なサーバや印鑑Ｗｅｂ照会サーバに実装すると、センタで集中処理できるので新規導入が比較的容易になり、メンテナンスもし易い。
【００２７】
印鑑以外に認証に用いる画像の例としては、顔画像、サイン画像等が考えられる。
【００２８】
本実施例は以下も含む。
（１）金融機関等で顧客口座の届出印として用いられる印鑑の印鑑イメージが登録された印鑑イメージデータベースサーバと、印鑑照会を可能とし印鑑表示機能をもつ印鑑照会端末からなる印鑑照会システムにおいて、前記印鑑照会端末は、印鑑照会を必要とする顧客の印鑑を特定する印鑑照会情報を前記印鑑イメージデータベースサーバに送信する印鑑照会情報送信部と前記印鑑イメージデータベースサーバから送信された印鑑イメージデータを受信する印鑑イメージデータ受信部と、前記印鑑イメージデータ受信部で取得した印鑑イメージを表示する表示部を備え、前記印鑑照会端末に表示される印鑑の大きさが、前記印鑑イメージデータベースサーバに登録される印鑑イメージデータの解像度や前記印鑑照会端末の表示画面の大きさや画面解像度が異なる場合でも、前記印鑑イメージデータサーバに登録された印鑑イメージと等倍表示することを特徴とする印鑑照会システム。
（２）金融機関等で顧客口座の届出印として用いられる印鑑の印鑑イメージが登録された印鑑イメージデータベースサーバとＷｅｂによる印鑑照会を可能とするための印鑑Ｗｅｂ照会サーバとＷｅｂ表示機能をもつ印鑑照会端末からなる印鑑照会システムにおいて、前記印鑑照会端末は、印鑑照会を必要とする顧客の印鑑を特定する印鑑照会情報を前記印鑑イメージデータベースサーバに送信する印鑑照会情報送信部と前記印鑑イメージデータベースサーバから送信された印鑑イメージデータを受信する印鑑イメージデータ受信部と、前記印鑑イメージデータ受信部で取得した印鑑イメージを表示する表示部を備え、前記印鑑照会端末に表示される印鑑の大きさが、前記印鑑イメージデータベースサーバに登録される印鑑イメージデータの解像度や前記印鑑照会端末の表示画面の大きさや画面解像度が異なる場合でも、前記印鑑イメージデータサーバに登録された印鑑イメージと等倍表示することを特徴とする印鑑照会システム。
（３）前記印鑑照会端末が携帯電話であることを特徴とする印鑑照会システム。
（４）前記印鑑照会端末がＰＤＡ端末であることを特徴とする印鑑照会システム。
（５）前記印鑑照会端末がファクシミリであることを特徴とする印鑑照会システム。
（６）前記印鑑照会端末が自動取引装置であることを特徴とする印鑑照会システム。
（７）前記印鑑照会端末がＰＣであることを特徴とする印鑑照会システム。
（８）前記印鑑照会端末がプリンタであることを特徴とする印鑑照会システム。
（９）前記印鑑照会端末が渉外担当者の使用するハンディ端末であることを特徴とする印鑑照会システム。
【図面の簡単な説明】
【００２９】
【図１】印鑑照会システム基本構成１（従来構成）
【図２】印鑑照会システム基本構成２（従来構成）
【図３】印鑑イメージデータベースサーバで等倍表示編集する実施システム構成例１
【図４】印鑑Web照会サーバで等倍表示編集する実施システム構成例２
【図５】各印鑑照会端末で等倍表示編集する実施システム構成例３
【図６】従来の印鑑照会端末での登録印鑑イメージの表示例
【図７】印鑑照会端末での登録印鑑イメージの等倍表示実施例
【図８】図７の印鑑Web照会サーバのパラメータ保持及び印鑑イメージ等倍表示計算式例
【図１】
2006107297.tif 000003
【図２】
2006107297.tif 000004
【図３】
2006107297.tif 000005
【図４】
2006107297.tif 000006
【図５】
2006107297.tif 000007
【図６】
2006107297.tif 000008
【図７】
2006107297.tif 000009
【図８】
2006107297.tif 000010